(57)【特許請求の範囲】
【請求項１】
複数の原色毎に読み取られたカラー画像データを補正処理して出力するカラー画像読取装置であって、
副走査方向に離間した複数の原色のライン状光電変換センサで構成される原稿を読み取るための読取センサと、
前記読取センサによって読み取られた画像データのライン間補正を行うためのライン間補正部と、
前記画像データを補正処理するマトリクス演算手段と、
前記画像データを色補正するための色補正行列と前記画像データの出力順を規定する出力順規定行列との積行列を格納した記憶手段と、
を備え、
前記マトリクス演算手段は、前記ライン間補正部でライン間補正された画像データと前記積行列とのマトリクス演算を行うことを特徴とするカラー画像読取装置。
【請求項２】
前記読取センサは、Ｒ、Ｇ、Ｂの３本のライン状光電変換センサにより構成されていることを特徴とする請求項１に記載のカラー画像読取装置。
【請求項３】
前記色補正行列と前記出力順規定行列との積行列を求める積算は、ＣＰＵにより行うことを特徴とする請求項１又は２に記載のカラー画像読取装置。
【請求項４】
前記出力順規定行列は、３行３列の正方行列であり、それぞれの行及び列の要素が、一つの「１」と二つの「０」からなることを特徴とする請求項１乃至３の何れかの項に記載のカラー画像読取装置。
【請求項５】
前記出力順規定行列は、対角行列であることを特徴とする請求項１乃至３の何れかの項に記載のカラー画像読取装置。
【発明の詳細な説明】
【０００１】
【発明の属する技術分野】
本発明は、イメージスキャナ、ファクシミリ装置、デジタル複写機等のカラー画像読取装置において、カラー画像を複数の原色毎に読み取ってこれを色補正等の処理を行い、小型汎用コンピュータ（パーソナルコンピュータ）や印刷装置（カラープリンタや印刷エンジン等）へ前記複数の原色毎の画像データを出力するためのカラー画像読取装置及びカラー画像データの処理方法に関する。
【０００２】
【従来の技術】
従来、この種のカラー画像読取装置における画像処理では、一つの読取センサを使用して原稿を１ページ単位で３原色／赤色、緑色、青色（適宜、Ｒ，Ｇ，Ｂと表記する）を読み取る面順次方式がある。また、一つのラインセンサを使用して原稿のＲ，Ｇ，Ｂの３原色を各色毎に且つ主走査方向（Ｘ方向）のライン毎に読み取る線順次方式も周知である。さらに、三ラインの光電変換セル（光電変換素子）を備えた読取センサ（３ラインカラーセンサ）を用いて各々のラインでＲ，Ｇ，Ｂの３原色を１画素単位で同時に読み取る３ラインカラー読取方式も知られている。
【０００３】
ここで、例えば前記３ラインカラーセンサを用いた３ラインカラー読取方式は、光学像（例えば、原稿からの反射光）を受光して電荷に変換する光電変換素子（画素に対応）が、所定間隔で複数配列され、かつ、各光電変換素子上にＲ，Ｇ，Ｂの各色成分を通過させる色フィルタが設置されている。すなわち、Ｒ，Ｇ，Ｂの各色に対応する光電変換素子を、主走査方向に繰り返して配置することによって、１ラインの光電変換画素列データを生成している。
【０００４】
このような構成によって、副走査方向（Ｙ方向）におけるカラー画像読み取りでの色ずれ等の発生を抑えて画質の低下を防止している。
図１３は、従来の３ラインカラー読取方式によるカラー画像読取装置の構成を示すブロック図であり、図１４は図１３における色補正行列を説明するための図である。また、図１５はＲ，Ｇ，Ｂの３色の画像データからＲ’、Ｇ’、Ｂ’の３色の画像データへの色補正を行うための線形マトリクス演算を説明するための図である。
図１３に示すカラー画像読取装置は、例えば、イメージスキャナ、ファクシミリ機、デジタル複写機等の画像処理主要部分である。
【０００５】
このカラー画像読取装置は、例えば、カラー画像アナログＡ、カラー画像のアナログデジタル変換処理系Ｂ、及び歪色補正出力処理系Ｃからなり、カラー画像読取系Ａは、読み取り対象物（例えば、カラー原稿、写真）からの反射光を色フィルタで３色成分に分解したアナログＲ，Ｇ，Ｂ信号を出力する（この構成は、例えば、光電変換部や信号選択部である。以降の図１参照）。また、カラー画像の補正処理系Ｂは、信号利得を補正してアナログをデジタルに変換する（本構成は、例えば、ゲイン補正部、Ａ／Ｄ変換器１である。図１を参照）。
【０００６】
図１３を参照すると、色補正出力処理系Ｃでは、前記した補正処理系からのデジタルＲ，Ｇ，Ｂ信号が入力され、ここで歪補正（シェーディング補正）が行われる。このデジタルＲ，Ｇ，Ｂ信号が、データアドレスメモリ２にテーブルデータとして保存される。このデータアドレスメモリ２は、アドレス制御部３で制御される。この制御では、各Ｒ，Ｇ，Ｂ信号の読み出し順序を制御してマトリックス演算部４に出力する。この読み出し順序は、各Ｒ，Ｇ，Ｂ信号の出力対象であるカラー画像出力装置６（例えば、カラー画像を処理する小型汎用コンピュータに搭載されたアプリケーションソフトウエアや、ファクシミリ機又はデジタル複写機のプリンタエンジン等）の仕様・用途に応じて適宜変更される。
【０００７】
このデータアドレスメモリ２からの各Ｒ，Ｇ，Ｂ信号に色平坦化のための図１４に示す色補正行列を掛け合わせてマトリックス演算部４が色補正を行う。
ここで、色補正について簡単に説明する。光学系における色収差（波長の違いが起こす屈折率差による色収束誤差）や３ラインカラーセンサの光電変換素子上にある色フィルタのむら等に起因する色誤差（即ち原画像の色濃度と取得した色データ間の誤差）を平坦（本来あるべき値）に補正するのが色補正処理である。このような色補正処理は、面順次、線順次、３ラインカラー読取方式に係らずカラー読取装置（カラースキャナ）では、極めて重要である。
【０００８】
ところで、色補正出力処理系Ｃでは、Ｒ，Ｇ，Ｂの３色の画像データからＲ’、Ｇ’、Ｂ’の３色の画像データへの色補正を、図１５に示す式の単純な線形マトリクス演算によって行っている。ここで、３行３列の正方行列は、色補正行列と称され、その要素は理論的かつ経験的に定められたものである。
【０００９】
このマトリックス演算部４における線形マトリクス演算では、ｋ１１・Ｒ，ｋ１２・Ｒ，ｋ１３・Ｒ……等の演算が、ルックアップテーブル４ａを用いて実行されるため、例えば、乗算器を必要とせずに高速で処理される。もちろん乗算器を用いても良い。
【００１０】
このようにしてマトリックス演算部４で色補正された画像データは、画像処理部５に入力され、ここで濃度コントラスト補正、及び２値化処理などの処理が行われる。このカラー画像データが、例えば、カラー画像を処理する小型汎用コンピュータや、ファクシミリ機又はデジタル複写機のプリンタエンジン、単体のカラープリンタなどのカラー画像出力装置６に転送される。
【００１１】
なお、小型汎用コンピュータでの処理では、取り込んだカラー画像を、接続しているプリンタに、そのまま出力し、又は他のカラー画像を加えたり、入力カラー画像の部分的な削除を行うものである。
【００１２】
【発明が解決しようとする課題】
上記した従来の３ラインカラー読取方式のような複数の原色毎の画像データを処理して出力する画像読取装置においては、データアドレスメモリ２から、Ｒ，Ｇ，Ｂの信号を取り出す場合に、アドレス制御部３の制御で取り出し順序を変更している。そして、この変更の処理は、アドレス制御部３の前段で処理したり、アドレス制御部３の後段で変更処理する構成も可能であるが、何れにしても従来技術においては、Ｒ，Ｇ，Ｂの信号の順序を変更するための専用の制御回路を必要としていた。
【００１３】
また、このような複数の原色毎の画像データを処理して出力する場合は、データアドレスメモリ２からの読み出し順序変更ためのアドレス制御部３の他に、読み出しデータの積み上げ・取り出し（プッシュ・ダウン・スタック）を行うためのレジスタ（図１３には図示せず）を必要とする。換言すれば、従来技術においては、複数の原色毎の画像データの処理その出力制御が複雑で煩雑であった。
【００１４】
本発明は、このような従来の技術における課題を解決するものであり、特別の制御回路やプッシュ・ダウン・スタック用のレジスタやアドレスコントローラなどを不要にして、Ｒ，Ｇ，Ｂ信号を３ラインカラーによる画像データを処理して出力できるようになり、その信号処理規模及び装置規模の増大化を抑えることが可能なカラー画像読取装置及びカラー読取処理方法の提供を目的とする。
【００１５】
【課題を解決するための手段】
上記の目的を達成するために、本発明は、複数の原色毎に読み取られたカラー画像データを補正処理して出力するカラー画像読取装置であって、副走査方向に離間した複数の原色のライン状光電変換センサで構成される原稿を読み取るための読取センサと、前記読取センサによって読み取られた画像データのライン間補正を行うためのライン間補正部と、前記画像データを補正処理するマトリクス演算手段と、前記画像データを色補正するための色補正行列と前記画像データの出力順を規定する出力順規定行列との積行列を格納した記憶手段と、を備え、前記マトリクス演算手段は、前記ライン間補正部でライン間補正された画像データと前記積行列とのマトリクス演算を行うことを特徴とするカラー画像読取装置を提供するものである。
【００１６】
ここで、前記読取センサは、Ｒ、Ｇ、Ｂの３本のライン状光電変換センサにより構成されており、前記色補正行列と前記出力順規定行列との積行列を求める積算は、ＣＰＵにより行われる。そして、前記出力順規定行列は、３行３列の正方行列であり、それぞれの行及び列の要素が、一つの「１」と二つの「０」からなる。また、前記出力順規定行列は、対角行列であることを特徴とする。
【００１７】
【発明の実施の形態】
本発明に係るカラー画像読取装置及びカラー画像データの処理方法は、線順次読み取り方式及び３ラインカラー読み取り方式等の原稿上のカラー画像を複数の原色毎に読み取ってこれを処理して出力する装置及び方法に適用可能である。
以下、本発明のカラー画像読取装置及びカラー画像データの処理方法の実施の形態の例を、３ラインカラーによる画像データの処理方式に基づき図面を参照しつつ詳細に説明する。
図１は、本発明のカラー画像読取装置及びそのカラー画像データの処理方法の実施形態における構成を示すブロック図である。図１において、このカラー画像読取装置は、原稿１２の画像面に光照射を行う光源ランプ１１を有している。
【００１８】
本カラー画像読取装置は、原稿１２から読み取った反射光が光学系を通じて入射され、その光電気変換を行って出力するＣＣＤなどを用いＲ，Ｇ，Ｂ毎にセルを並べた３ラインの読取ラインを有する光電変換部１３と、この光電変換部１３の光電変換セル（光電変換素子／光電変換センサ）の電荷を各ラインから順次選択し、Ｒ，Ｇ，Ｂ信号の１画素分ごとのタイミングで出力する信号選択部１４と、この信号選択部１４からのＲ，Ｇ，Ｂ信号間のレベル差を補正し、均一化して出力するゲイン補正部１５とを有している。
【００１９】
また、本カラー画像読取装置は、ゲイン補正部１５からのアナログ信号（Ｒ，Ｇ，Ｂ信号）をデジタル信号に変換するＡ／Ｄ変換器１８と、光源ランプ１１の放射光量の不均一やレンズ系で発生する光電変換部１３の出力信号の歪みや光電変換セルの暗出力の補正を、入力される補正データで補正して出力する歪補正部１６と、この歪補正部１６へ補正データを送出する歪補正用メモリ１７と、を有している。
【００２０】
さらに、本カラー画像読取装置は、Ｒ，Ｇ，Ｂの３ラインのライン間距離補正を行うライン間補正部２０と、Ｒ，Ｇ，Ｂの画像データを記憶するデータアドレスメモリ１９と、３行３列のマトリックス演算を実行するマトリックス演算部２１（請求項におけるマトリックス演算手段に対応）とを有している。データアドレスメモリ１９には、行列による演算を実行するためのルックアップテーブル（ＲＡＭ／ＲＯＭ）２１ａ（請求項におけるマトリックス演算手段に対応）が設けられている。そして、本カラー画像読取装置は、濃度コントラスト補正、及び２値化処理などの処理を行う画像処理部２２を有している。
【００２１】
図１に示す構成では、画像処理部２２からのカラー画像を処理する小型汎用コンピュータや、単体のカラープリンタ、ファクシミリ機又はデジタル複写機のプリンタエンジンなどのカラー印刷紙を出力するカラー画像出力装置２３を有している。なお、小型汎用コンピュータでの処理では、前記したように、取り込んだカラー画像を、接続しているプリンタに、そのまま出力し、又は他のカラー画像を加えたり、入力カラー画像の部分的な削除を行う。
【００２２】
次に、この実施形態の動作について説明する。
図２は、ルックアップテーブル２１ａにおける行列及び演算の格納内容を説明するためのものである。
【００２３】
図１において、光源ランプ１１からの放射光が原稿１２のカラー画面で反射し、この反射光を、対物レンズアレイなどを通じてＲ，Ｇ，Ｂ用の三ラインの光電変換セルを備えた光電変換部１３で受光する。この光電変換部１３が、入射光を光電変換して出力し、原稿１１の読み取りを行う。このアナログ光電変換信号、すなわち、光電変換セルからの１画素単位のアナログ信号を、同時に信号選択部１４に出力する。
【００２４】
光電変換部１３には、入力される反射光を色分解するためのカラーフィルタ等が設けられおり、このカラーフィルタを通じた反射光が各光電変換セルに入射される。ここで、Ｒ，Ｇ，Ｂ各ラインの各画素から出力されるデータは、ゲイン補正部１５で入力信号レベル等を補正し、Ａ／Ｄ変換器１８によりデジタル化される。デジタル化された信号は、光学系やカラーセンサの歪を補正する歪補正部１６（シェ―ディング補正）を通る。
【００２５】
この歪補正部１６は、光源ランプ１１の放射光量で発生する光電変換部１３からの出力信号の歪みや光電変換セルの暗出力の補正を、歪補正用メモリ１７からの補正データを用いて行い、データアドレスメモリ１９に出力して、ここで記憶する。
【００２６】
このデータアドレスメモリ１９に保存されたＲ，Ｇ，Ｂ画像データに対してマトリックス演算部２１が、３行３列のマトリックス演算を実行する。このマトリックスは、従来例をもって説明した色補正行列及び３ラインカラーによる画像データの出力を規定する行列の積の結果行列の要素が格納されている。例えば、図２（ａ）（ｂ）に示すルックアップテーブル２１ａにおけるマトリックス演算において、そのマトリックス要素は色補正行列Ａに対して、次の単位行列Ｖを掛けた結果の行列要素が予め格納されており、この要素データに基づいて行列演算を実行する。これによって、Ｇ，Ｂ，Ｒの順序に対応する３ラインカラーの画像データの出力順序が規定される。
【００２７】
さらに具体的に述べると、マトリックス演算を行うために利用するルックアップテーブル２１ａは、書き換え可能な記憶手段（例えばＲＡＭ）で構成されていて、このカラー画像読取装置に接続されたパーソナルコンピュータから要素データをダウンロードされる。また既に述べた色補正行列Ａと如何なる順序で３ラインカラーの出力画像データを構成するかを決定する行列Ｖとは、このパーソナルコンピュータから指示されてカラー画像読取装置はファームウエアと同居して記憶されている行列Ａと行列Ｖのパラメータをファームウエア用ＣＰＵ内で演算して、上記ルックアップテーブル２１ａ用パラメータを算出してセットする構成もとれる。どちらの構成をも有して接続される外部機器に応じて使い分ける構成を実施例では採用した。
【００２８】
図３は３ラインカラーによる画像データの出力を規定する行列及びＲ，Ｇ，Ｂの順次変更の演算内容を説明するための図であり、図４は３ラインカラーによる画像データの出力を規定する行列とＲ，Ｇ，Ｂの順次変更の演算内容を説明するための図である。また、図５は、３ラインカラーによるカラー画像データによる出力を規定する行列及びＲ，Ｇ，Ｂの順次変更の演算内容を説明するための図であり、図６は、３ラインカラーによる画像データの出力を規定する行列及びＲ，Ｇ，Ｂの順次変更の演算内容を説明するための図である。さらに、図７は、３ラインカラーによる画像データの出力を規定する行列及びＲ，Ｇ，Ｂの順次変更の演算内容を説明するための図であり、図８は、３ラインカラーによる画像データの出力を規定する行列及びＲ，Ｇ，Ｂの順次変更の演算内容を説明するためのものである。
【００２９】
３ラインカラーによる画像データの出力順序の変更を規定する３行３列の行列は、各行及び列の要素が、一つの「１」と二つの「０（ゼロ）」からなる行列であり、図３から図８までに示した６種類の行列を有している。これはＲ，Ｇ，Ｂの順列組合せと符合するものである。
【００３０】
このような合成された行列が、マトリックス演算部２１のルックアップテーブル２１ａに格納されている。マトリックス演算部２１が、色補正のための演算処理を行う。これと同時に、Ｒ，Ｇ，Ｂの色補正後の信号出力順序が変更される。
【００３１】
このマトリックス演算部２１で色補正され、かつ、信号出力順序が変更された画像データが、画像処理部２２に入力される。この画像処理部２２で濃度コントラスト補正及び２値化処理などの処理が行われ、このカラー画像データがカラー画像出力装置２３に転送される。
【００３２】
このように３ラインカラー読取方式によるＲ，Ｇ，Ｂの３色の画像データを、カラー画像出力装置２３の画像生成特性に適合するように、Ｒ，Ｇ，Ｂの色補正後の信号出力順序が変更される。これによって、種々のカラー画像出力装置２３での印刷出力が可能になる。
【００３３】
なお、図１に示すカラー画像読取装置の具体例としては、図９乃至図１２において説明するように、複数種類のプリンタに接続可能なローカルエリアネットワーク（ＬＡＮ）構成であって、それぞれのプリンタに適した順番で色信号の出力を行うスキャナである。また、プリンタの種類・仕様を識別して色補正行列の要素順番を入れ替えるスキャナ又はパーソナルコンピュータ、あるいはプリンタの種別ごとの色出力順番を有するスキャナやパーソナルコンピュータである。
【００３４】
次に、カラー画像処理装置又はカラー画像出力装置における画像生成特性に対応して、その信号出力順序の変更を行う具体的な構成例について説明する。
図９はこの実施形態の具体的な要部構成を示すブロック図であり、図１０は実施形態の他の具体的な要部構成を示すブロック図である。また、図１１は実施形態のさらに他の具体的な要部構成を示すブロック図であり、図１２は実施形態のさらに他の具体的な要部構成を示すブロック図である。
【００３５】
図９を参照すると、この構成例は、マトリックス演算部２１にルックアップテーブル（ＲＡＭ／ＲＯＭ、請求項における情報記録媒体に対応）２１ａを、プラグイン方式によって機械的に実装し、かつ、交換する構成である。このための接続・読取手段をマトリックス演算部２１に設けている。接続・読取手段は、例えば、接続コネクタとインターフェース（Ｉ／Ｆ）部からなる。ルックアップテーブル（ＲＡＭ／ＲＯＭ）２１ａには、前記した図３から図８の、いずれかの３ラインカラーによる画像データの出力を規定する行列とＲ，Ｇ，Ｂの順次変更の演算データ（以下、行列／順次変更データと記載する）を格納して、マトリックス演算部２１に実装し、これによってカラー画像出力装置２３の画像生成特性に適合する行列／順次変更データをマトリックス演算部２１に設定する。
【００３６】
図１０を参照すると、この構成例は、マトリックス演算部２１のルックアップテーブル（ＲＡＭ／ＲＯＭ）２１ａに、前記した図３から図８の全部の行列／順次変更データを格納し、このルックアップテーブル（ＲＡＭ／ＲＯＭ）２１ａを、マトリックス演算部２１に実装する。そして、前記した図３から図８の全部の行列／順次変更データからカラー画像出力装置２３の画像生成特性に適合する行列／順次変更データを、Ｉ／Ｆ部２８及びデップスイッチ２９（請求項における機械的切替手段に対応）を操作して選択する。すなわち、機械的に選択してマトリックス演算部２１に設定する。
【００３７】
図１１を参照すると、この構成例は、マトリックス演算部２１のルックアップテーブル（ＲＡＭ／ＲＯＭ）２１ａに、前記した図３から図８の全部の行列／順次変更データを格納して、マトリックス演算部２１に実装する。そして、前記した図３から図８の全部の行列／順次変更データを、当該カラー画像読取装置の全体を制御するシステムＭＰＵ（マイクロプロセッサ）３０、及び入力操作装置（例えば、キーボードや座標入力装置）３０ａによる制御操作で選択する。この選択で、カラー画像出力装置２３の画像生成特性に適合する行列／順次変更データがマトリックス演算部２１に設定される。
【００３８】
図１１に示すシステムＭＰＵ３０及び入力操作装置３０ａは、請求項における制御手段に対応する。なお、図１１に示す当該カラー画像読取装置が、イーサネットなどのローカルエリアネットワーク（ＬＡＮ）に収容されている場合この画像読取装置はいわゆるネットワークスキャナとして働き、システムＭＰＵ３０が、ホストコンピュータからの切り替え制御信号を取り込むことによって、前記した図１１の説明と同様の動作を行うことが出来る。
【００３９】
また、図１１に示す当該カラー画像読取装置を、クライアント・サーバシステムに収容している場合、システムＭＰＵ３０がサーバからの遠隔手続き呼び出し（ＲＰＣ）による切り替え制御信号取り込んだ場合も同様の動作を行うことが出来る。
【００４０】
図１２を参照すると、この構成例は、マトリックス演算部２１のルックアップテーブル（ＲＡＭ／ＲＯＭ）２１ａに、前記した図３乃至図８の全部の行列／順次変更データを格納して、マトリックス演算部２１に実装する。そして、前記した図３乃至図８の全部の行列／順次変更データから、カラー画像出力装置２３からの画像生成特性を示すデータ、例えば、ステータス信号をＩ／Ｆ部３５（請求項における取込設定手段に対応）を通じて取り込み、このステータス信号に対応する設定信号を生成する。この設定信号によって、カラー画像出力装置２３の画像生成特性に適合する行列／順次変更データを自動的に選択してマトリックス演算部２１に設定する。
【００４１】
なお、この画像生成特性を示すデータ、例えば、ステータス信号を、図１１に示すシステムＭＰＵ３０が、取り込んで自動的に、行列／順次変更データを選択してマトリックス演算部２１に設定するようにしても良い。
【００４２】
なお、図１２に示す当該カラー画像読取装置が、イーサネットなどのローカルエリアネットワーク（ＬＡＮ）に収容されている場合、Ｉ／Ｆ部３５が、ホストコンピュータからの切り替え制御信号を取り込むことによって、前記した図１２の説明と同様の動作を行うことが出来る。
【００４３】
また、図１２に示す当該カラー画像読取装置を、クライアント・サーバシステムに収容している場合、Ｉ／Ｆ部３５がサーバからの遠隔手続き呼び出し（ＲＰＣ）による切り替え制御信号取り込んだ場合も同様の動作を行うことが出来る。なお、この実施形態では、３ラインカラーによる画像データの出力を規定する行列として、図３による３行３列の行列を例示したが、本発明は、これにのみ限定されない。例えば、Ｃ，Ｍ，Ｙ，Ｂなどの、カラー成分の信号出力数に応じた行列を使用した３ラインカラーによる画像データの出力処理にかかる実施形態も本発明に含まれる。
【００４４】
本発明によれば、複数の原色毎に読み取られるカラー画像データを色補正し、当該色補正処理された画像データを出力するために、色補正行列及び複数の原色毎のカラー画像データの出力順序を変更する行列の積からなる１つ若しくは複数の積行列から選択した積行列を用いて、カラー画像データの処理データを画像生成する装置の特性に適合するように、あるいは１つの書き換え可能メモリを利用してパラメータを入れ換え利用することで、取り込んだ複数の色データに対する色補正及びカラー画像データの出力順序の変更処理を実行している。
【００４５】
したがって、例えば、制御回路やプッシュ・ダウン・スタック用のレジスタなどを不要にして、複数の原色毎に読み取られるカラー画像データを処理して外部装置に出力できるようになり、その信号処理の煩雑化及び複雑化を抑えることが可能になる。
【００４６】
また、色補正行列及び複数の原色毎に読み取られるカラー画像データの出力を規定する複数の行列の積データから、出力データを画像生成する特性に対応する積行列データを機械的に選択し、又は電気的に自動選択している。
【００４７】
したがって、多様なカラー画像データの出力制御が可能になって、多種のカラー画像読取装置を構成できるようになる。さらに、多様な画像生成特性を有するカラー画像処理装置又はカラー画像出力装置に対応可能になる。
【図面の簡単な説明】
【図１】本発明のカラー画像読取装置及び複数の原色毎に読み取られるカラー画像データの処理方法の一実施形態の構成を示すブロック図である。
【図２】本実施形態における３ラインカラーによる画像データを処理するための行列式及び演算の内容を説明するための図である。
【図３】本実施形態における第２の行列式及び演算の内容を説明するための図である。
【図４】本実施形態における第３の行列式及び演算の内容を説明するための図である。
【図５】本実施形態における第４の行列式及び演算の内容を説明するための図である。
【図６】本実施形態における第５の行列式及び演算の内容を説明するための図である。
【図７】本実施形態における第６の行列式及び演算の内容を説明するための図である。
【図８】本実施形態における第７の行列式及び演算の内容を説明するための図である。
【図９】本実施形態の具体的な要部構成を示すブロック図である。
【図１０】本実施形態の他の具体的な要部構成を示すブロック図である。
【図１１】本実施形態のさらに他の具体的な要部構成を示すブロック図である。
【図１２】本実施形態のさらに他の具体的な要部構成を示すブロック図である。
【図１３】従来のカラー画像読取装置の要部構成を示すブロック図である。
【図１４】従来技術における色補正行列式を説明するための図である。
【図１５】従来技術における色補正を行うための線形マトリクス演算を説明するための図である。
【符号の説明】
１１  光源ランプ
１２  原稿
１３  光電変換部
１４  信号選択部
１５  ゲイン補正部
１６  歪補正部
１７  歪補正用メモリ
１８  Ａ／Ｄ変換器
１９  データアドレスメモリ
２１  マトリックス演算部
２１ａ  ルックアップテーブル
２２  画像処理部
２３  カラー画像出力装置
２９  デップスイッチ
３０  システムＭＰＵ
３０ａ  入力操作装置
【図１】
0004043725.tif 000002
【図２】
0004043725.tif 000003
【図３】
0004043725.tif 000004
【図４】
0004043725.tif 000005
【図５】
0004043725.tif 000006
【図６】
0004043725.tif 000007
【図７】
0004043725.tif 000008
【図８】
0004043725.tif 000009
【図９】
0004043725.tif 000010
【図１０】
0004043725.tif 000011
【図１１】
0004043725.tif 000012
【図１２】
0004043725.tif 000013
【図１３】
0004043725.tif 000014
【図１４】
0004043725.tif 000015
【図１５】
0004043725.tif 000016